(57)【要約】【課題】表示部の大型化と、用紙排出口を塞ぐ位置に表示部を配置した場合の用紙の適正な排出と、のこれらの両立を図る。【解決手段】インクジェットプリンター１は、各種情報等を表示する前面モニター８が、用紙排出口４を塞ぐ第１状態と、用紙排出口４を開放する第２状態と、を切り換え可能に設けられているため、用紙排出口４の機能を損なうことなく、前面モニター８を大型化することができる。そして制御部２０は、前面モニター８が第１状態にあるときに、印刷（記録）を実行する際の各種操作設定を受け付けない第２モード（印刷操作排除モード）を選択するので、ユーザーが前面モニター８を上記第２状態に切り換えないまま、即ち用紙排出口４を開放しないまま記録を実行することを防止でき、前面モニター８の大型化と、記録済み用紙の適正な排出と、のこれらの両立を図ることができる。【選択図】図１
2011042125.tif 000002
【特許請求の範囲】
【請求項１】
被記録媒体に記録を行う記録手段と、
前記記録手段により記録の行われた被記録媒体を排出する被記録媒体排出口と、
前記被記録媒体排出口を塞ぐ第１状態と、前記被記録媒体排出口を開放する第２状態と、を切り換え可能に設けられた、各種情報等を表示する表示部と、を備えた記録装置であって、
前記表示部が前記第１状態及び前記第２状態のいずれにあるかを検出する状態検出手段と、
前記記録装置の操作設定を受け付ける操作設定部と、
前記操作設定部からの情報に基づき前記記録装置を制御する制御部と、を備え、
前記制御部は、前記表示部が前記第２状態にあるときに、前記記録手段により被記録媒体に記録を実行する際の各種操作設定を受け付ける第１モードを選択し、前記表示部が前記第１状態にあるときに、前記記録手段により被記録媒体に記録を実行する際の各種操作設定を受け付けない第２モードを選択する、
ことを特徴とする記録装置。
【請求項２】
請求項１に記載の記録装置において、前記被記録媒体排出口は、前記記録装置の前面に設けられており、
前記表示部は、前記記録装置の前面に沿って鉛直方向にスライドすることにより、前記第１状態と前記第２状態とを切り換わる様設けられている、
ことを特徴とする記録装置。
【請求項３】
請求項２に記載の記録装置において、前記表示部は、前記第１状態と前記第２状態のいずれにあるかに拘わらず、チルト可能に設けられている、
ことを特徴とする記録装置。
【請求項４】
請求項１から３のいずれか１項に記載の記録装置において、画像データが格納された記憶媒体を接続可能な記憶媒体接続部を備え、
前記制御部は、前記表示部が前記第１状態にあるときに、前記記憶媒体接続部に接続された前記記憶媒体に格納されている画像データを所定の規則に従って選択し、当該選択した画像データに係る画像を前記表示部に表示する画像表示モードを実行する、
ことを特徴とする記録装置。
【発明の詳細な説明】
【技術分野】
【０００１】
本発明は、ファクシミリやプリンター等に代表される記録装置に関し、特に各種情報等を表示する表示部を装置本体に備えた記録装置に関する。
【背景技術】
【０００２】
電子機器には各種情報や画像などを表示する表示部が、チルト機構を介してチルト可能に設けられる場合がある。特に、ファクシミリやプリンター等に代表される記録装置の中でもインクジェットプリンター、更にその中でも外部コンピューターと接続せずにスタンドアロンで使用可能なインクジェットプリンターでは、印刷する画像を表示し且つ選択するために、ＬＣＤモニターなどにより構成された表示部が設けられる（例えば、特許文献１参照）。
【０００３】
表示部は、良好な視認性を得る観点により、特許文献１に示されるように装置上面に設けられることが多く、非使用時には装置上面と面一になるよう収納され、使用時にはユーザーにより任意の傾斜姿勢となる様起こされ、即ちチルト可能となる様に設けられている。
【先行技術文献】
【特許文献】
【０００４】
【特許文献１】特開２００９−０６０３６５号公報
【発明の概要】
【発明が解決しようとする課題】
【０００５】
ここで、特に表示部の視認性を向上させる観点においては、表示部は極力大型であることが望ましい。しかしながら大型の表示部を装置上面に配設した場合、表示部をチルトさせた際に装置の高さ寸法が大きくなってしまう。
【０００６】
次にこの様な問題を避けるべく、表示部を装置上面以外に配設した場合、具体的には、装置前面に配設した場合には、記録済みの用紙を排出する用紙排出口を塞いでしまうため、表示部を小型化せざるを得ない。従って、表示部の大型化という要望を満たすことができない。
【０００７】
そこで、表示部を装置前面に配置しつつも、用紙排出口を覆う状態と、用紙排出口を開放する状態と、を切り換え可能に構成することが考えられる。しかしながらこの場合には、ユーザーが用紙排出口を開放しない状態で用紙への記録動作が実行されてしまう虞があり、この様な場合には用紙が装置内部で詰まり、所望する記録品質が得られないばかりか、装置内部の構成要素に悪影響を及ぼす虞がある。
【０００８】
そこで本発明はこの様な状況に鑑み成されたものであり、その目的は、表示部の大型化と、用紙排出口を塞ぐ位置に表示部を配置した場合の用紙の適正な排出と、のこれらの両立を図ることのできる記録装置を提供することにある。
【課題を解決するための手段】
【０００９】
上記課題を解決するために、本発明の第１の態様は、被記録媒体に記録を行う記録手段と、前記記録手段により記録の行われた被記録媒体を排出する被記録媒体排出口と、前記被記録媒体排出口を塞ぐ第１状態と、前記被記録媒体排出口を開放する第２状態と、を切り換え可能に設けられた、各種情報等を表示する表示部と、を備えた記録装置であって、前記表示部が前記第１状態及び前記第２状態のいずれにあるかを検出する状態検出手段と、前記記録装置の操作設定を受け付ける操作設定部と、前記操作設定部からの情報に基づき前記記録装置を制御する制御部と、を備え、前記制御部は、前記表示部が前記第２状態にあるときに、前記記録手段により被記録媒体に記録を実行する際の各種操作設定を受け付ける第１モードを選択し、前記表示部が前記第１状態にあるときに、前記記録手段により被記録媒体に記録を実行する際の各種操作設定を受け付けない第２モードを選択することを特徴とする。
【００１０】
本態様によれば、各種情報等を表示する表示部は、被記録媒体排出口を塞ぐ第１状態と、被記録媒体排出口を開放する第２状態と、を切り換え可能に設けられているため、被記録媒体排出口の機能を損なうことなく、表示部を大型化することができる。
【００１１】
そして記録装置の制御部は、上記表示部が上記第１状態にあるときに、記録手段により被記録媒体に記録を実行する際の各種操作設定を受け付けない第２モードを選択するので、ユーザーが表示部を上記第２状態に切り換えないまま、即ち被記録媒体排出口を開放しないまま記録を実行することを防止でき、以上により表示部の大型化と、被記録媒体の適正な排出と、のこれらの両立を図ることができる。
【００１２】
本発明の第２の態様は、第１の態様において、前記被記録媒体排出口は、前記記録装置の前面に設けられており、前記表示部は、前記記録装置の前面に沿って鉛直方向にスライドすることにより、前記第１状態と前記第２状態とを切り換わる様設けられていることを特徴とする。
【００１３】
仮に、チルト動作のみによって、上記表示部を上記第１状態と上記第２状態との間で切り換える様構成する場合には、上記被記録媒体排出口を充分に開放するために、チルト角を大きく確保する必要が生じる。このため、表示部の視認性を犠牲にせざるを得ない場合が生じる虞がある。
【００１４】
しかし、本態様によれば、前記表示部は、前記記録装置の前面に沿って鉛直方向にスライドすることにより、前記第１状態と前記第２状態とを切り換わる様設けられているので、表示部の視認性を犠牲にすることなく、上記第１状態と上記第２状態との間で切り換えることができる。
【００１５】
本発明の第３の態様は、第２の態様において、前記表示部は、前記第１状態と前記第２状態のいずれにあるかに拘わらず、チルト可能に設けられていることを特徴とする。本態様によれば、表示部は、スライド動作可能であるとともに、更に上記第１状態と第２状態のいずれにあるかに拘わらずチルト可能であるので、表示部の視認性をより一層向上させることができる。
【００１６】
本発明の第４の態様は、第１から第３の態様のいずれかにおいて、画像データが格納された記憶媒体を接続可能な記憶媒体接続部を備え、前記制御部は、前記表示部が前記第１状態にあるときに、前記記憶媒体接続部に接続された前記記憶媒体に格納されている画像データを所定の規則に従って選択し、当該選択した画像データに係る画像を前記表示部に表示する画像表示モードを実行することを特徴とする。
【００１７】
本態様によれば、記録装置の制御部は、上記表示部が上記第１状態にあるときに、記憶媒体に格納されている画像データを所定の規則に従って選択し、当該選択した画像データに係る画像を前記表示部に表示する画像表示モードを実行するので、被記録媒体への記録が実行できない状態（第１状態）において上記表示部を所謂ビューワーとして有効活用することができる。
【図面の簡単な説明】
【００１８】
【図１】本発明に係るインクジェットプリンターの斜視図（前面モニターの第２状態）。
【図２】本発明に係るインクジェットプリンターの側面図（前面モニターの第２状態）。
【図３】本発明に係るインクジェットプリンターの制御系統のブロック図。
【図４】（Ａ）は本発明に係るインクジェットプリンター（前面モニターの第１状態）の正面図、（Ｂ）は同側面図。
【図５】（Ａ）は本発明に係るインクジェットプリンター（前面モニターの第２状態）の正面図、（Ｂ）は同側面図。
【図６】本発明に係るインクジェットプリンターの斜視図（前面モニターの第１状態）。
【図７】前面モニターの状態に応じて制御部が選択する制御内容を示すフローチャート。
【図８】（Ａ）は第２状態にあるときの前面モニターの表示例を示す図、（Ｂ）は第１状態にあるときの表示例を示す図。
【図９】（Ａ）、（Ｂ）、（Ｃ）は第１状態にあるときの前面モニターの、他の表示例を示す図。
【発明を実施するための形態】
【００１９】
以下、図面を参照しながら本発明の実施形態について説明する。図１は本発明の記録装置の一実施形態に係るインクジェットプリンター１（前面モニター８の第２状態）の外観斜視図、図２は同側面図、図３はインクジェットプリンター１の制御系統のブロック図である。
【００２０】
また、図４（Ａ）はインクジェットプリンター１（前面モニター８の第１状態）の正面図、図４（Ｂ）は同側面図、図５（Ａ）はインクジェットプリンター１（前面モニター８の第２状態）の正面図、図５（Ｂ）は同側面図である。
【００２１】
更に図６はインクジェットプリンター１（前面モニター８の第１状態）の外観斜視図、図７は前面モニター８の状態に応じて制御部２０が選択する制御内容を示すフローチャート、図８（Ａ）は第２状態にあるときの前面モニター８の表示例を示す図、図８（Ｂ）は第１状態にあるときの表示例を示す図、図９（Ａ）、（Ｂ）、（Ｃ）は第１状態にあるときの前面モニター８の、他の表示例を示す図である。
【００２２】
以下では先ずインクジェットプリンター１の全体的な構成について概説する。本実施形態に係るインクジェットプリンター１は、主としてＬ判サイズ用紙（８９×１２７ｍｍ）などの小型サイズの用紙に写真を記録する用途を念頭に設計された、小型サイズの持ち運び容易なインクジェットプリンターである。そして外部コンピューターとの接続を行うことなくそれ単体で画像データの読み込み、画像の確認、印刷設定、などが可能に構成された、所謂スタンドアロン型のインクジェットプリンターである。
【００２３】
インクジェットプリンター１は、全体が図１及び図２に示すように略箱形の形状を成しており、その上面にはキャリーハンドル２が収納状態（実線）と使用状態（符号２’及び破線）とを切り換え可能に設けられている。
【００２４】
キャリーハンドル２の後方側には用紙挿入口を覆う状態（実線）と開放する状態（符号３’及び破線）とを切り換え可能な用紙サポート部材が設けられており、符号３’で示す開放状態では、セットされた用紙を背面から支持する機能を果たす。
【００２５】
装置側面には、読み書き可能な記憶媒体（カード状の不揮発性メモリー）を装着可能な記憶媒体装着口６が設けられており、この記憶媒体装着口６に記憶媒体を差し込むことにより、当該記憶媒体に保持されている画像データを読み込むことができる様になっている。
【００２６】
装置本体１ａの前面には、表示部としての前面モニター８が設けられている。前面モニター８は例えば液晶ディスプレイにより構成されており、印刷設定などの各種情報表示や、画像データに係る画像の表示など、種々の表示が表示エリア８ａに行われる様になっている。
【００２７】
この前面モニター８が設けられる装置本体１ａの前面には、用紙排出口４が設けられており、記録の行われた用紙は、この用紙排出口４から、装置前方側に向けて排出される。用紙排出口４には、排紙トレイ５が着脱可能に設けられており、用紙排出口４から排出された用紙は、この排紙トレイ５上に積重される。
【００２８】
インクジェットプリンター１において被記録媒体の一例としての用紙に記録を実行する記録実行部は、一般的なインクジェットプリント機構であり、図２に示すように用紙幅方向（図２の紙面表裏方向）に往復動可能に設けられたキャリッジ１１に、記録手段としてのインクジェット記録ヘッド１２が設けられている。
【００２９】
より具体的には、装置本体１ａの後部には図示を省略する給送装置が設けられており、この給送装置にセットされた用紙Ｐが、１枚ずつ下流側に送り出される（図２の矢印ａ）。送り出された用紙Ｐは、搬送ローラー対１４によってインクジェット記録ヘッド１２の下へ精密送りされ、用紙支持部材１３によって支持された状態で記録が実行される。そして記録が実行された用紙Ｐは、排出ローラー対１５によって、排紙トレイ５に向けて排出される（図２の矢印ｂ）。
【００３０】
ここで、装置本体１ａの前面に設けられた前面モニター８は、モニター支持部７によって支持されており、このモニター支持部７によって装置本体１ａの前面に沿って鉛直方向（図１及び図２の上下方向）にスライド可能となっている。
【００３１】
前面モニター８は、最も下方に位置する状態（第１状態）では、図４（Ａ）、（Ｂ）に示すように装置本体１ａの前面の大部分の領域を覆い隠す大きさであり、しかも用紙排出口４を塞いだ状態となる。
【００３２】
この第１状態から、上方にスライドして最も上方に位置する状態（第２状態）では、図５（Ａ）、（Ｂ）に示すように、また図１及び図２に示すように、前面モニター８は用紙排出口４を開放し、これにより記録済みの用紙の排出が実行可能となる。
【００３３】
尚、モニター支持部７は、前面モニター８が第１状態（下降）及び第２状態（上昇）のいずれの状態にあるかに拘わらず、図１、図６に示すように前面モニター８を揺動（チルト）可能に支持する。これにより、ユーザーは前面モニター８が第１、第２状態のいずれにあっても、視認し易い角度に設定することができるようになっている。
【００３４】
次いで、図３を参照しながらインクジェットプリンター１の制御系統について説明する。制御部２０はインクジェットプリンター１の各構成を制御する制御部であり、この制御部２０のシステムバスには、制御ＡＳＩＣ２１、ＲＡＭ２２、ＲＯＭ２３、ＥＥＰＲＯＭ２４、ＣＰＵ２５、タイマーＩＣ２６が接続されている。
【００３５】
ＣＰＵ２５には、制御ＡＳＩＣ２１を介してＣＲリニアエンコーダー３３、ＰＦロータリーエンコーダー３４、用紙検出センサー３５、ＰＷセンサー３６、モニター位置センサー３２、などの各センサー類やエンコーダーからの信号が入力される。
【００３６】
また、インクジェットプリンター１の電源をＯＮ／ＯＦＦするための電源ボタン、各種設定／実行ボタン、などの操作部および各種情報を表示する表示部などを備えた操作部（操作設定部）３８からの信号も入力される。更に、記憶媒体装着口６に装着された記憶媒体からデータを読み取るデータ読取部３７から読み取られた画像データも入力される。
【００３７】
ＣＰＵ２５は、インクジェットプリンター１の各センサー類やエンコーダー等からの出力信号等に基づいて、インクジェットプリンター１の各種制御を実行するための演算処理やその他必要な演算処理を行う。ＲＯＭ２３には、ＣＰＵ２５によるインクジェットプリンター１の制御に必要な記録制御プログラム（ファームウェア）等が格納されており、記録制御プログラムの処理に必要な各種データ等はＥＥＰＲＯＭ２４に記憶されている。ＲＡＭ２２は、ＣＰＵ２５の作業領域や記録データ等の一時格納領域として使用される。
【００３８】
制御部２０は、ＤＣモーターであるＣＲモーター３０、ＰＦモーター３１、の回転制御並びにインクジェット記録ヘッド１２の駆動制御を行うための制御回路、即ちＣＲモータードライバー２８、ＰＦモータードライバー２９、ヘッドドライバー２７、のこれらを有している。尚、ＣＲモーター３０はキャリッジ１１の駆動源であり、ＰＦモーター３１は搬送ローラー対１４及び排出ローラー対１５の駆動源である。
【００３９】
制御ＡＳＩＣ２１は、ＣＰＵ２５から送られてくる制御命令、ＰＦロータリーエンコーダー３４の出力信号、ＣＲリニアエンコーダー３３の出力信号、に基づいて、上記各モーターの回転制御を行うための各種演算を行い、その演算結果に基づくモーター制御信号をＣＲモータードライバー２８やＰＦモータードライバー２９へ送出する。
【００４０】
また、制御ＡＳＩＣ２１は、ＣＰＵ２５から送出される記録データ等に基づいて、インクジェット記録ヘッド１２の制御信号を演算生成してヘッドドライバー２７へ送出し、インクジェット記録ヘッド１２を駆動制御する。
【００４１】
前面モニター８の状態を検出する状態検出手段としてのモニター位置センサー３２は、前面モニター８が第１状態（下降）及び第２状態（上昇）のいずれにあるかを検出するセンサーである。制御部２０は、モニター位置センサー３２から送信される検出信号により、前面モニター８が第１状態及び第２状態のいずれにあるかを把握可能となっている。
【００４２】
尚、ＣＲリニアエンコーダー３３は、キャリッジ１１の位置を検出する手段であり、ＰＦロータリーエンコーダー３４は、搬送ローラー対１４及び排出ローラー対１５の回転量を検出する手段である。また、用紙検出センサー３５は、搬送ローラー対１４の上流側近傍に設けられた、用紙の通過を検出する手段であり、ＰＷセンサー３６は、キャリッジ１１の底面に設けられた、用紙の有無を検出（ひいては、用紙幅を検出）する手段である。
【００４３】
以上がインクジェットプリンター１の制御系統であり、以下、制御部２０が行う、前面モニター８の状態に応じた制御について説明する。図７において、制御部２０は、前面モニター８が第２状態（上昇位置）にあるか否かを判断し（ステップＳ１０１）、第２状態（上昇位置）にある場合には（肯定枝）、即ち用紙排出口４が開放されている場合には、第１モードとしての印刷操作受付モードを実行する（ステップＳ１０２）。
【００４４】
ここで、印刷操作受付モードとは、印刷する画像の選択、用紙サイズ、用紙種別（普通紙、専用紙、等）、印刷品質、等の印刷に際して必要となる設定や、印刷実行命令などの、印刷操作を受け付けるモードであり、このモードでは何らの制限なくインクジェットプリンター１の設定・操作を実行可能となる。
【００４５】
一方、制御部２０は、前面モニター８が第２状態（上昇位置）にない場合には、即ち用紙排出口４が塞がれている場合には（ステップＳ１０１の否定枝）、第２モードとしての印刷操作排除モードを実行する（ステップＳ１０３）。この印刷操作排除モードでは、上記印刷操作受付モードでは実行可能であった、印刷に際して必要となる各種設定や印刷実行命令などの印刷操作については受け付けず、その他の設定操作についてのみ受け付ける。
【００４６】
このため、操作部３８において操作入力が発生した場合には（ステップＳ１０４）は、制御部２０はそれが印刷操作であるか否かを判断し（ステップＳ１０５）、印刷操作でなければ（ステップＳ１０５の否定枝）、要求処理を実行する（ステップＳ１０８）。
【００４７】
しかしながら印刷操作であれば（ステップＳ１０５の肯定枝）、印刷操作受付モードであるか否かを判断し（ステップＳ１０６）、印刷操作受付モードであれば（肯定枝）、印刷操作を受け付けて要求処理を実行する（ステップＳ１０８）。逆に印刷操作受付モードでなければ、即ち印刷操作排除モードであれば（否定枝）、エラーメッセージを出して印刷操作を排除する（ステップＳ１０７）。
【００４８】
ここで、図８（Ａ）は印刷操作受付モードを実行中の、前面モニター８の表示例を示しており、図示するように「写真を印刷」、「いろいろな印刷」、「フォトスライドショー」、「データ管理」の４つのメニューの全てがアクティブにされ、選択・実行可能となっている。
【００４９】
図８（Ｂ）は、印刷操作排除モードを実行中の、前面モニター８の表示例を示しており、図示するように制御部２０は前面モニター８が用紙排出口４を塞いでおり（第１状態）、記録の実行（用紙の排出）が行えない状態では、記憶媒体装着口６に接続された記憶媒体に格納されている画像データを所定の規則に従って選択し、当該選択した画像データに係る画像を表示する画像表示モードを実行する（フォトスライドショー）。
【００５０】
そして仮にこの状態でユーザーからの操作入力が発生すると、制御部２０は図９（Ａ）に示すように操作メニューを表示させるものの、印刷操作に関するメニューを選択するとエラーメッセージ（”前面モニターを上げて下さい”）を表示させる。尚、この様にエラーメッセージを表示させるほか、前面モニター８が用紙排出口４を塞いだ状態（第１状態）にあるときに、図９（Ｂ）に示すように印刷に関するメニューを非アクティブにしても良いし、図９（Ｃ）に示すように印刷に関するメニューそれ自体を表示させないようにしても良い。
【００５１】
以上説明したように、本実施形態に係るインクジェットプリンター１によれば、各種情報等を表示する表示部としての前面モニター８は、用紙排出口４を塞ぐ第１状態と、用紙排出口４を開放する第２状態と、を切り換え可能に設けられているため、用紙排出口４の機能を損なうことなく、前面モニター８を大型化することができる。
【００５２】
そして制御部２０は、前面モニター８が第１状態（下降位置：用紙排出口４を塞ぐ位置）にあるときに、印刷（記録）を実行する際の各種操作設定を受け付けない第２モード（印刷操作排除モード）を選択するので、ユーザーが前面モニター８を上記第２状態に切り換えないまま、即ち用紙排出口４を開放しないまま記録を実行することを防止でき、以上により前面モニター８の大型化と、記録済み用紙の適正な排出と、のこれらの両立を図ることができる。
【００５３】
また、前面モニター８がスライドすることで用紙排出口４の開閉が行われるので、チルト動作のみによって用紙排出口４の開閉を行う構成に比して、チルト角を大きく確保する必要がなく、前面モニター８の視認性を低下させることがない。また、前面モニター８はスライド動作に加えてチルト動作も可能であるので、前面モニター８の視認性をより一層向上させることができる。以上説明した実施形態は一例であり、種々の変形が可能であることは言うまでもない。
【符号の説明】
【００５４】
１  インクジェットプリンター、１ａ  プリンター本体、２  キャリーハンドル、３  用紙サポート部材、４  用紙排出口、５  排紙トレイ、６  記憶媒体装着口、７  モニター支持部、８  前面モニター、８ａ  表示エリア、１１  キャリッジ、１２  インクジェット記録ヘッド、１３  用紙支持部材、１４  搬送ローラー対、１５  排出ローラー対、２０  制御部、２１  制御ＡＳＩＣ、２２  ＲＡＭ、２３  ＲＯＭ、２４  ＥＥＰＲＯＭ、２５  ＣＰＵ、２６  タイマーＩＣ、２７  ヘッドドライバー、２８  ＣＲモータードライバー、２９  ＰＦモータードライバー、３０  ＣＲモーター、３１  ＰＦモーター、３２  モニター位置センサー、３３  ＣＲリニアエンコーダー、３４  ＰＦロータリーエンコーダー、３５  用紙検出センサー、３６  ＰＷセンサー、３７  データ読取部、３８  操作部、Ｐ  記録用紙
【図１】
2011042125.tif 000003
【図２】
2011042125.tif 000004
【図３】
2011042125.tif 000005
【図４】
2011042125.tif 000006
【図５】
2011042125.tif 000007
【図６】
2011042125.tif 000008
【図７】
2011042125.tif 000009
【図８】
2011042125.tif 000010
【図９】
2011042125.tif 000011